(57)【要約】【課題】  口腔のケアを充分に行うことのできる口腔ケア具を提供する。【解決手段】  口腔ケア具１は、袋体１０、嵌装部材２０、及び嵌装部材３０を備えている。袋体１０には、口腔用の薬剤が収容されている。袋体１０には、嵌装部材２０及び嵌装部材３０も収容されている。嵌装部材２０は、手の親指に嵌装される。嵌装部材２０の外面には、歯を磨くための第１の歯磨き部が設けられている。嵌装部材３０は、手の人差指に嵌装される。嵌装部材３０の外面には、歯を磨くための第２の歯磨き部が設けられている。【選択図】  図１
2017104636.tif 000002
【特許請求の範囲】
【請求項１】
口腔用の薬剤が収容された袋体と、
前記袋体に収容され、手の親指に嵌装される第１の嵌装部材と、
前記袋体に収容され、手の人差指に嵌装される第２の嵌装部材と、を備え、
前記第１及び第２の嵌装部材の外面には、それぞれ、歯を磨くための第１及び第２の歯磨き部が設けられていることを特徴とする口腔ケア具。
【請求項２】
請求項１に記載の口腔ケア具において、
前記第２の嵌装部材の長さは、前記第１の嵌装部材の長さよりも大きい口腔ケア具。
【請求項３】
請求項１又は２に記載の口腔ケア具において、
前記第２の嵌装部材の径は、前記第１の嵌装部材の径よりも小さい口腔ケア具。
【請求項４】
請求項１乃至３の何れかに記載の口腔ケア具において、
前記第１及び第２の嵌装部材は、一体に設けられている口腔ケア具。
【請求項５】
請求項１乃至３の何れかに記載の口腔ケア具において、
前記第１及び第２の嵌装部材は、別体に設けられている口腔ケア具。
【請求項６】
請求項１乃至５の何れかに記載の口腔ケア具において、
前記第１及び第２の嵌装部材は、使用時、先端部が閉塞又は開放されるとともに後端部が開放された筒状をしている口腔ケア具。
【請求項７】
請求項６に記載の口腔ケア具において、
前記第１及び第２の嵌装部材の前記先端部は、閉塞されている口腔ケア具。
【請求項８】
請求項６又は７に記載の口腔ケア具において、
前記第１及び第２の嵌装部材の前記後端部は、使用前、閉塞されている口腔ケア具。
【請求項９】
請求項８に記載の口腔ケア具において、
前記第１及び第２の嵌装部材は、使用前、前記後端部において内面どうしが仮着されている口腔ケア具。
【請求項１０】
請求項１乃至９の何れかに記載の口腔ケア具において、
前記第１及び第２の嵌装部材は、伸縮性を有する口腔ケア具。
【請求項１１】
請求項１乃至１０の何れかに記載の口腔ケア具において、
前記第１の歯磨き部の摩擦係数は、前記第１の嵌装部材の内面の摩擦係数よりも大きい口腔ケア具。
【請求項１２】
請求項１乃至１１の何れかに記載の口腔ケア具において、
前記第１の歯磨き部の表面粗さは、前記第１の嵌装部材の内面の表面粗さよりも大きい口腔ケア具。
【請求項１３】
請求項１乃至１２の何れかに記載の口腔ケア具において、
前記第２の歯磨き部の摩擦係数は、前記第２の嵌装部材の内面の摩擦係数よりも大きい口腔ケア具。
【請求項１４】
請求項１乃至１３の何れかに記載の口腔ケア具において、
前記第２の歯磨き部の表面粗さは、前記第２の嵌装部材の内面の表面粗さよりも大きい口腔ケア具。
【請求項１５】
請求項１乃至１４の何れかに記載の口腔ケア具において、
前記第１の歯磨き部は、前記第１の嵌装部材の前記外面の一部にのみ設けられている口腔ケア具。
【請求項１６】
請求項１５に記載の口腔ケア具において、
前記第１の歯磨き部の摩擦係数は、前記第１の嵌装部材の前記外面における当該第１の歯磨き部以外の部分の摩擦係数よりも大きい口腔ケア具。
【請求項１７】
請求項１５又は１６に記載の口腔ケア具において、
前記第１の歯磨き部の表面粗さは、前記第１の嵌装部材の前記外面における当該第１の歯磨き部以外の部分の表面粗さよりも大きい口腔ケア具。
【請求項１８】
請求項１乃至１７の何れかに記載の口腔ケア具において、
前記第２の歯磨き部は、前記第２の嵌装部材の前記外面の一部にのみ設けられている口腔ケア具。
【請求項１９】
請求項１８に記載の口腔ケア具において、
前記第２の歯磨き部の摩擦係数は、前記第２の嵌装部材の前記外面における当該第２の歯磨き部以外の部分の摩擦係数よりも大きい口腔ケア具。
【請求項２０】
請求項１８又は１９に記載の口腔ケア具において、
前記第２の歯磨き部の表面粗さは、前記第２の嵌装部材の前記外面における当該第２の歯磨き部以外の部分の表面粗さよりも大きい口腔ケア具。
【請求項２１】
請求項１乃至２０の何れかに記載の口腔ケア具において、
前記第１及び第２の歯磨き部は、吸水性を有する材料からなる口腔ケア具。
【請求項２２】
請求項１乃至２１の何れかに記載の口腔ケア具において、
前記第１及び第２の歯磨き部は、不織布、コットン、レーヨン、ラテックス又は合成繊維からなる口腔ケア具。
【請求項２３】
請求項１乃至２２の何れかに記載の口腔ケア具において、
前記第１の嵌装部材は、当該第１の嵌装部材の内面を構成する第１の内面層と、当該第１の嵌装部材の前記外面を構成する第１の外面層とを有する口腔ケア具。
【請求項２４】
請求項２３に記載の口腔ケア具において、
前記第１の内面層は、防水性を有する材料からなる口腔ケア具。
【請求項２５】
請求項１乃至２４の何れかに記載の口腔ケア具において、
前記第２の嵌装部材は、当該第２の嵌装部材の内面を構成する第２の内面層と、当該第２の嵌装部材の前記外面を構成する第２の外面層とを有する口腔ケア具。
【請求項２６】
請求項２５に記載の口腔ケア具において、
前記第２の内面層は、防水性を有する材料からなる口腔ケア具。
【請求項２７】
請求項１乃至２６の何れかに記載の口腔ケア具において、
前記第１及び第２の嵌装部材は、前記袋体の内面に剥離可能に貼着されている口腔ケア具。
【請求項２８】
請求項１乃至２７の何れかに記載の口腔ケア具において、
前記袋体は、繰り返し開閉可能である口腔ケア具。
【請求項２９】
請求項２８に記載の口腔ケア具において、
前記袋体は、ジッパーを有する口腔ケア具。
【発明の詳細な説明】
【技術分野】
【０００１】
本発明は、口腔のケアに用いられる口腔ケア具に関する。
【背景技術】
【０００２】
従来の口腔ケア具としては、例えば特許文献１に記載されたものがある。同文献に記載された口腔ケア具は、洗口液が充填された袋体を備えている。袋体の上部には、洗口液を吸引するための口部が設けられている。
【先行技術文献】
【特許文献】
【０００３】
【特許文献１】特開２０１４−３０５１８号公報
【発明の概要】
【発明が解決しようとする課題】
【０００４】
上述の口腔ケア具によれば、袋体から吸引した洗口液で口内を洗浄することにより、口腔のケアをすることができる。しかしながら、歯磨きをするには、歯ブラシ等の歯磨き具を別に用意しなければならない。それゆえ、この口腔ケア具だけでは、口腔のケアを充分に行うことができない。
【０００５】
本発明は、上記課題に鑑みてなされたものであり、口腔のケアを充分に行うことのできる口腔ケア具を提供することを目的とする。
【課題を解決するための手段】
【０００６】
本発明による口腔ケア具は、口腔用の薬剤が収容された袋体と、上記袋体に収容され、手の親指に嵌装される第１の嵌装部材と、上記袋体に収容され、手の人差指に嵌装される第２の嵌装部材と、を備え、上記第１及び第２の嵌装部材の外面には、それぞれ、歯を磨くための第１及び第２の歯磨き部が設けられていることを特徴とする。
【０００７】
この口腔ケア具においては、袋体に、口腔用の薬剤が収容されている。このため、袋体から取り出した薬剤で口内を洗浄することができる。さらに、袋体には、親指に嵌装される第１の嵌装部材と人差指に嵌装される第２の嵌装部材とが収容されている。第１及び第２の嵌装部材の外面には、それぞれ、第１及び第２の歯磨き部が設けられている。このため、第１及び第２の嵌装部材をそれぞれ親指及び人差指に嵌めて第１及び第２の歯磨き部で歯を擦ることにより、歯磨きを行うことができる。このように、本発明の口腔ケア具によれば、薬剤による口内の洗浄だけでなく、歯磨きをも行うことができる。
【発明の効果】
【０００８】
本発明によれば、口腔のケアを充分に行うことのできる口腔ケア具が実現される。
【図面の簡単な説明】
【０００９】
【図１】本発明による口腔ケア具の第１実施形態を示す正面図である。
【図２】嵌装部材２０を示す斜視図である。
【図３】図２のIII−III線に沿った端面図である。
【図４】嵌装部材３０を示す斜視図である。
【図５】図４のV−V線に沿った端面図である。
【図６】本発明による口腔ケア具の第２実施形態を示す正面図である。
【図７】嵌装部材２０を示す斜視図である。
【図８】図７のVIII−VIII線に沿った端面図である。
【図９】嵌装部材３０を示す斜視図である。
【図１０】図９のX−X線に沿った端面図である。
【図１１】本発明による口腔ケア具の第３実施形態を示す正面図である。
【図１２】嵌装部材２０及び嵌装部材３０を示す斜視図である。
【図１３】嵌装部材２０の一変形例を説明するための図である。
【図１４】嵌装部材３０の一変形例を説明するための図である。
【図１５】嵌装部材２０の他の変形例を説明するための図である。
【図１６】図１５の嵌装部材２０が親指に嵌装された状態を示す斜視図である。
【図１７】嵌装部材３０の他の変形例を説明するための図である。
【図１８】図１７の嵌装部材３０が人差指に嵌装された状態を示す斜視図である。
【図１９】一体に設けられた嵌装部材２０及び嵌装部材３０の変形例を説明するための図である。
【発明を実施するための形態】
【００１０】
以下、図面を参照しつつ、本発明の実施形態について詳細に説明する。なお、図面の説明においては、同一要素には同一符号を付し、重複する説明を省略する。
（第１実施形態）
【００１１】
図１は、本発明による口腔ケア具の第１実施形態を示す正面図である。口腔ケア具１は、口腔のケアに用いられる口腔ケア具であって、袋体１０、嵌装部材２０（第１の嵌装部材）、及び嵌装部材３０（第２の嵌装部材）を備えている。袋体１０は、正面視で矩形をしている。袋体１０の長さｄ１は、例えば、５〜１０ｃｍ程度である。また、袋体１０の幅ｄ２は、例えば、３〜６ｃｍ程度である。ここで、長さｄ１は、袋体１０を平坦にした状態（後述する薬剤及び嵌装部材２０，３０が収容されていない状態）における上端から下端までの距離として定義される。幅ｄ２も、同様の状態における左端から右端までの距離として定義される。
【００１２】
袋体１０には、口腔用の薬剤（図示せず）が収容されている。本実施形態においては、液体状の薬剤（薬液）が収容されている。液体状の薬剤としては、例えば、マウスウォッシュ（洗口液）、液体歯磨き等が挙げられる。袋体１０は、薬剤が外に漏れないように密封されている。
【００１３】
袋体１０の上端の近傍には、開封予定部１２が存在している。開封予定部１２は、袋体１０を開封する位置の目安となる部分である。開封予定部１２は、袋体１０の左端から右端まで延在している。開封予定部１２の端部には、袋体１０の開封を容易にするための切り口１３が形成されている。切り口１３の延長線上に開封予定部１２が存在する。
【００１４】
袋体１０は、繰り返し開閉可能である。ここで、繰り返し開閉可能とは、テープやクリップ等の道具を使用することなく、袋体１０が開封された状態と密封された状態とを交互に何度も切り替えられることをいう。本実施形態において袋体１０は、ジッパー１４を有している。ジッパー１４は、開封予定部１２に沿って、開封予定部１２の下側に設けられている。切り口１３から袋体１０を開封した後も、ジッパー１４を閉じることにより、袋体１０を再び密封することができる。袋体１０の材料としては、例えば、プラスチック又はアルミニウムを用いることができる。
【００１５】
袋体１０には、嵌装部材２０及び嵌装部材３０も収容されている。本実施形態において嵌装部材２０及び嵌装部材３０は、別体に設けられている。また、各嵌装部材２０，３０と薬剤とは、袋体１０内の同一空間において、別々に収容されている。すなわち、薬剤の少なくとも一部は、嵌装部材２０，３０から離れた状態で袋体１０内に存在している。各嵌装部材２０，３０は、袋体１０の内面に剥離可能に貼着されていてもよい。ここで、剥離可能とは、袋体１０又は嵌装部材２０，３０を損傷することなく、嵌装部材２０，３０を袋体１０から手で容易に剥がせることをいう。
【００１６】
図２は、嵌装部材２０を示す斜視図である。嵌装部材２０は、手の親指に嵌装される。嵌装部材２０は、使用時、先端部２０ａが閉塞されるとともに後端部２０ｂが開放された筒状をしている。先端部２０ａは、嵌装部材２０の頂点を含む一定面積の領域であり、嵌装部材２０が親指に嵌装されているときに当該親指の指先を覆う。後端部２０ｂは、親指の挿入口となる環状の部分である。
【００１７】
嵌装部材２０の長さｄ３は、例えば、３〜６ｃｍ程度である。また、嵌装部材２０の径ｄ４は、例えば、１．５〜２．５ｃｍ程度である。嵌装部材２０は、柔軟性を有しており、潰れた状態（嵌装部材２０の内面どうしが接触した状態）で袋体１０に収容されている。嵌装部材２０は、伸縮性も有していることが好ましい。
【００１８】
図３は、図２のIII−III線に沿った端面図である。嵌装部材２０は、内面層２２（第１の内面層）及び外面層２４（第１の外面層）からなる。内面層２２は、嵌装部材２０の内面を構成する層である。内面層２２は、嵌装部材２０の内面の全体にわたって設けられている。内面層２２は、防水性を有する材料からなり、薬剤を透過させたり吸収したりしない。内面層２２の材料としては、例えば、プラスチックを用いることができる。
【００１９】
外面層２４は、嵌装部材２０の外面を構成する層である。外面層２４は、嵌装部材２０の外面の全体にわたって設けられている。外面層２４は、吸水性を有する材料からなり、薬剤を吸収する。外面層２４は、後述するように、歯を磨くための歯磨き部（第１の歯磨き部）として機能する。すなわち、本実施形態においては、嵌装部材２０の外面の全体に歯磨き部が設けられている。ただし、歯ブラシと異なり、嵌装部材２０にブラシは設けられていない。外面層２４の摩擦係数は、嵌装部材２０の内面（内面層２２）の摩擦係数よりも大きい。外面層２４の表面粗さ（Ｒａ）は、嵌装部材２０の内面の表面粗さよりも大きい。外面層２４には、凹凸が形成されていることが好ましい。また、外面層２４は、内面層２２よりも柔らかい材料からなることが好ましい。外面層２４の材料としては、例えば、不織布、コットン（ガーゼ）、レーヨン、ラテックス、又は合成繊維を用いることができる。合成繊維としては、例えば、ナイロン、ポリエステル、ポリウレタン等が挙げられる。
【００２０】
図４は、嵌装部材３０を示す斜視図である。嵌装部材３０は、手の人差指に嵌装される。嵌装部材３０は、使用時、先端部３０ａが閉塞されるとともに後端部３０ｂが開放された筒状をしている。先端部３０ａは、嵌装部材３０の頂点を含む一定面積の領域であり、嵌装部材３０が人差指に嵌装されているときに当該人差指の指先を覆う。後端部３０ｂは、人差指の挿入口となる環状の部分である。
【００２１】
嵌装部材３０の長さｄ５は、例えば、５〜８ｃｍ程度である。嵌装部材３０の長さｄ５は、嵌装部材２０の長さｄ３よりも大きいことが好ましい。また、嵌装部材３０の径ｄ６は、例えば、１〜２ｃｍ程度である。嵌装部材３０の径ｄ６は、嵌装部材２０の径ｄ４よりも小さいことが好ましい。嵌装部材３０は、柔軟性を有しており、潰れた状態（嵌装部材３０の内面どうしが接触した状態）で袋体１０に収容されている。嵌装部材３０は、伸縮性も有していることが好ましい。
【００２２】
図５は、図４のV−V線に沿った端面図である。嵌装部材３０は、内面層３２（第２の内面層）及び外面層３４（第２の外面層）からなる。内面層３２は、嵌装部材３０の内面を構成する層である。内面層３２は、嵌装部材３０の内面の全体にわたって設けられている。内面層３２は、防水性を有する材料からなり、薬剤を透過させたり吸収したりしない。内面層３２の材料は、内面層２２の材料と同一であってもよいし、異なっていてもよい。
【００２３】
外面層３４は、嵌装部材３０の外面を構成する層である。外面層３４は、嵌装部材３０の外面の全体にわたって設けられている。外面層３４は、吸水性を有する材料からなり、薬剤を吸収する。外面層３４は、後述するように、歯を磨くための歯磨き部（第２の歯磨き部）として機能する。すなわち、本実施形態においては、嵌装部材３０の外面の全体に歯磨き部が設けられている。ただし、歯ブラシと異なり、嵌装部材３０にブラシは設けられていない。外面層３４の摩擦係数は、嵌装部材３０の内面（内面層３２）の摩擦係数よりも大きい。外面層３４の表面粗さ（Ｒａ）は、嵌装部材３０の内面の表面粗さよりも大きい。外面層３４には、凹凸が形成されていることが好ましい。また、外面層３４は、内面層３２よりも柔らかい材料からなることが好ましい。外面層３４の材料は、外面層２４の材料と同一であってもよいし、異なっていてもよい。
【００２４】
図１に戻って、口腔ケア具１の使用方法の一例を説明する。まず、切り口１３から袋体１０を開封する。このとき、概ね開封予定部１２に沿って袋体１０が切断されるようにする。その後、ジッパー１４を開けて、袋体１０から取り出した薬剤で口をゆすぐ。さらに、袋体１０から取り出した嵌装部材２０及び嵌装部材３０を、それぞれ親指及び人差指に被せる。このように手指に嵌装された嵌装部材２０，３０の歯磨き部（外面層２４，３４）で歯を擦ることにより、歯を磨くことができる。
【００２５】
口腔ケア具１の効果を説明する。口腔ケア具１においては、袋体１０に、口腔用の薬剤が収容されている。このため、袋体１０から取り出した薬剤で口内を洗浄することができる。さらに、袋体１０には、親指に嵌装される嵌装部材２０と人差指に嵌装される嵌装部材３０とが収容されている。嵌装部材２０及び嵌装部材３０の外面には、それぞれ、第１及び第２の歯磨き部が設けられている。このため、嵌装部材２０及び嵌装部材３０をそれぞれ親指及び人差指に嵌めて第１及び第２の歯磨き部で歯を擦ることにより、歯磨きを行うことができる。このように、口腔ケア具１によれば、薬剤による口内の洗浄だけでなく、歯磨きをも行うことができる。したがって、口腔のケアを充分に行うことのできる口腔ケア具１が実現されている。かかる口腔ケア具１は、人の歯に限らず、ペット等の動物の歯を磨くのにも好適に使用することができる。
【００２６】
このように口腔ケア具１によれば、歯ブラシ等の歯磨き具を別に用意しなくても、口内の洗浄から歯磨きまでの一連の口腔ケアを実行することができる。それゆえ、口腔ケア具１を携帯していれば、外出先でも充分な口腔ケアを行うことが可能である。例えば、旅行先は勿論、飛行機や列車の中でも口腔ケア具１を用いて口腔ケアを行うことができる。かかる口腔ケア具１は、避難所においても好適に用いることができるため、防災グッズとしても役立つ。
【００２７】
上述のとおり、袋体１０には、親指に嵌装される嵌装部材２０と人差指に嵌装される嵌装部材３０とが対になって収容されている。このため、これらの嵌装部材２０及び嵌装部材３０を用いて親指と人差指とで挟むようにして歯を磨くこともできるため、歯の表裏を磨きやすくなる。また、２本の指で同時に歯を磨くことができるため、歯磨きを効率良く行うことができる。
【００２８】
嵌装部材３０の長さｄ５が嵌装部材２０の長さｄ３よりも大きい場合、親指及び人差指のそれぞれに対して嵌装部材２０及び嵌装部材３０をフィットさせやすくなる。すなわち、比較的小さい長さを有する嵌装部材２０を比較的短い指である親指に被せる一方で、比較的大きい長さを有する嵌装部材３０を比較的長い指である人差指に被せることにより、それぞれの指に嵌装部材２０及び嵌装部材３０をフィットさせやすくなる。
【００２９】
嵌装部材３０の径ｄ６が嵌装部材２０の径ｄ４よりも小さい場合、親指及び人差指のそれぞれに対して嵌装部材２０及び嵌装部材３０をフィットさせやすくなる。すなわち、比較的大きい径を有する嵌装部材２０を比較的太い指である親指に被せる一方で、比較的小さい径を有する嵌装部材３０を比較的細い指である人差指に被せることにより、それぞれの指に嵌装部材２０及び嵌装部材３０をフィットさせやすくなる。
【００３０】
嵌装部材２０及び嵌装部材３０は、別体に設けられている。この場合、嵌装部材２０を親指に被せる作業と嵌装部材３０を人差指に被せる作業とを互いに独立して行うことができる。このため、各嵌装部材２０，３０を容易に装着することができる。
【００３１】
各嵌装部材２０，３０は、筒状をしている。かかる形状の嵌装部材２０，３０は、手指にフィットさせやすいという利点がある。特に、嵌装部材２０の先端部２０ａ及び嵌装部材３０の先端部３０ａは、閉塞されている。これにより、指先が先端部２０ａ，３０ａで覆われることになる。このため、歯磨き部で歯を磨く際、当該指先が口内に触れるのを防ぐことができ、衛生的である。
【００３２】
各嵌装部材２０，３０が伸縮性を有する場合、手指に対して嵌装部材２０，３０を一層フィットさせやすくなる。また、袋体１０内に嵌装部材２０，３０をコンパクトに収容できるという利点もある。
【００３３】
外面層２４の摩擦係数は、内面層２２の摩擦係数よりも大きい。このように歯磨き部である外面層２４の摩擦係数を大きくすることにより、歯磨き効果を高めることができる。ただし、外面層２４の摩擦係数を内面層２２のそれよりも大きくすることは、必須でない。
【００３４】
外面層２４の表面粗さは、内面層２２の表面粗さよりも大きい。このように歯磨き部である外面層２４の表面粗さを大きくすることによっても、歯磨き効果を高めることができる。ただし、外面層２４の表面粗さを内面層２２のそれよりも大きくすることは、必須でない。
【００３５】
外面層３４の摩擦係数は、内面層３２の摩擦係数よりも大きい。このように歯磨き部である外面層３４の摩擦係数を大きくすることにより、歯磨き効果を高めることができる。ただし、外面層３４の摩擦係数を内面層３２のそれよりも大きくすることは、必須でない。
【００３６】
外面層３４の表面粗さは、内面層３２の表面粗さよりも大きい。このように歯磨き部である外面層３４の表面粗さを大きくすることによっても、歯磨き効果を高めることができる。ただし、外面層３４の表面粗さを内面層３２のそれよりも大きくすることは、必須でない。
【００３７】
各外面層２４，３４は、吸水性を有する材料からなっている。この場合、歯磨き部である外面層２４，３４に薬剤が含浸した状態で歯を磨くことができるため、歯磨き効果を高めることができる。ただし、外面層２４，３４に吸水性をもたせることは、必須でない。
【００３８】
各嵌装部材２０，３０と薬剤とは、袋体１０内の同一空間において、別々に収容されている。このため、袋体１０内で歯磨き部（外面層２４，３４）を薬剤に浸すことができる。これにより、常に充分な量の薬剤を歯磨き部に供給することができる。
【００３９】
嵌装部材２０は、内面層２２及び外面層２４を有している。このように嵌装部材２０の内面を構成する層と外面を構成する層とを別々に設けることにより、各層の機能に応じて最適な材料を選択しやすくなる。例えば、内面層２２には防水に適した材料を用いる一方で、外面層２４には歯磨きに適した材料を用いることができる。
【００４０】
内面層２２は、防水性を有する材料からなっている。この場合、嵌装部材２０の外面から内面に薬剤が浸透するのを確実に阻止することができる。これにより、歯磨き部で歯を磨く際、嵌装部材２０が嵌装された親指に薬剤が付着するのを防ぐことができる。
【００４１】
嵌装部材３０は、内面層３２及び外面層３４を有している。このように嵌装部材３０の内面を構成する層と外面を構成する層とを別々に設けることにより、各層の機能に応じて最適な材料を選択しやすくなる。例えば、内面層３２には防水に適した材料を用いる一方で、外面層３４には歯磨きに適した材料を用いることができる。
【００４２】
内面層３２は、防水性を有する材料からなっている。この場合、嵌装部材３０の外面から内面に薬剤が浸透するのを確実に阻止することができる。これにより、歯磨き部で歯を磨く際、嵌装部材３０が嵌装された人差指に薬剤が付着するのを防ぐことができる。
【００４３】
各嵌装部材２０，３０が袋体１０の内面に剥離可能に貼着されている場合、開封前の袋体１０内において嵌装部材２０，３０を所定の位置に固定しておくことができる。これにより、嵌装部材２０，３０が袋体１０の底部に片寄る等して、袋体１０から嵌装部材２０，３０を取り出しにくくなる事態を防ぐことができる。
【００４４】
袋体１０は、繰り返し開閉可能である。これにより、袋体１０から嵌装部材２０，３０を取り出した後も、残りの薬剤を袋体１０に密閉状態で保管しておくことが容易となる。特に袋体１０は、ジッパー１４を有している。これにより、簡易な構造で、繰り返し開閉可能な袋体１０を実現することができる。ただし、袋体１０が繰り返し開閉可能であることは、必須でない。
（第２実施形態）
【００４５】
図６は、本発明による口腔ケア具の第２実施形態を示す正面図である。口腔ケア具２は、口腔のケアに用いられる口腔ケア具であって、袋体１０、嵌装部材２０、及び嵌装部材３０を備えている。袋体１０の構成は、第１実施形態で説明したとおりである。
【００４６】
図７は、嵌装部材２０を示す斜視図である。また、図８は、図７のVIII−VIII線に沿った端面図である。嵌装部材２０は、内面層２２及び外面層２４からなる。本実施形態において外面層２４は、内面層２２の一部にのみ積層されている。このように、第１の歯磨き部（外面層２４）は、嵌装部材２０の外面の一部にのみ設けられている。
【００４７】
外面層２４は、嵌装部材２０の後端部２０ｂよりも先端部２０ａ寄りに設けられている。すなわち、外面層２４から先端部２０ａまでの距離の方が、外面層２４から後端部２０ｂまでの距離よりも短い。外面層２４は、嵌装部材２０の先端部２０ａまで達する一方で、後端部２０ｂには達しないように設けられている。すなわち、外面層２４は、後端部２０ｂを避けるようにして、嵌装部材２０の外面の一部にのみ設けられている。
【００４８】
嵌装部材２０の外面における外面層２４以外の部分には、内面層２２が露出している。すなわち、内面層２２の一方の面は嵌装部材２０の内面を構成し、内面層２２の他方の面の一部（外面層２４が積層されていない部分）は、外面層２４と共に、嵌装部材２０の外面を構成している。外面層２４の摩擦係数は、嵌装部材２０の外面における外面層２４以外の部分（内面層２２が露出している部分）の摩擦係数よりも大きい。また、外面層２４の表面粗さは、嵌装部材２０の外面における上記部分の表面粗さよりも大きい。
【００４９】
図９は、嵌装部材３０を示す斜視図である。また、図１０は、図９のX−X線に沿った端面図である。嵌装部材３０は、内面層３２及び外面層３４からなる。本実施形態において外面層３４は、内面層３２の一部にのみ積層されている。このように、第２の歯磨き部（外面層３４）は、嵌装部材３０の外面の一部にのみ設けられている。
【００５０】
外面層３４は、嵌装部材３０の後端部３０ｂよりも先端部３０ａ寄りに設けられている。すなわち、外面層３４から先端部３０ａまでの距離の方が、外面層３４から後端部３０ｂまでの距離よりも短い。外面層３４は、嵌装部材３０の先端部３０ａまで達する一方で、後端部３０ｂには達しないように設けられている。すなわち、外面層３４は、後端部３０ｂを避けるようにして、嵌装部材３０の外面の一部にのみ設けられている。
【００５１】
嵌装部材３０の外面における外面層３４以外の部分には、内面層３２が露出している。すなわち、内面層３２の一方の面は嵌装部材３０の内面を構成し、内面層３２の他方の面の一部（外面層３４が積層されていない部分）は、外面層３４と共に、嵌装部材３０の外面を構成している。外面層３４の摩擦係数は、嵌装部材３０の外面における外面層３４以外の部分（内面層３２が露出している部分）の摩擦係数よりも大きい。また、外面層３４の表面粗さは、嵌装部材３０の外面における上記部分の表面粗さよりも大きい。口腔ケア具２のその他の構成は、口腔ケア具１と同様である。
【００５２】
口腔ケア具２の効果を説明する。第１の歯磨き部（外面層２４）は、嵌装部材２０の外面の一部にのみ設けられている。これにより、第１の歯磨き部を触ることなく、嵌装部材２０を親指に嵌装しやすくなる。つまり、嵌装部材２０を一方の手の親指に被せる際、嵌装部材２０の外面における外面層２４以外の部分を他方の手で持つことにより、当該他方の手が第１の歯磨き部に触れてしまうのを回避することができる。このように第１の歯磨き部に手が触れないことは、衛生上の観点から好ましい。
【００５３】
外面層２４は、嵌装部材２０の後端部２０ｂよりも先端部２０ａ寄りに設けられている。このため、外面層２４が後端部２０ｂ寄りに設けられている場合に比して、嵌装部材２０を口内に浅く入れた状態で歯を磨くことができる。嵌装部材２０の後端部２０ｂ付近は、嵌装部材２０を親指に嵌装する際に手が触れる部分である。それゆえ、衛生上の観点から、嵌装部材２０を口内に深く入れすぎないようにすることが好ましい。
【００５４】
外面層２４は、嵌装部材２０の先端部２０ａまで達するように設けられている。このため、嵌装部材２０の先端部２０ａ付近でも歯を磨くことができる。これにより、嵌装部材２０が口内に深く入りすぎるのを一層防ぎやすくなる。
【００５５】
外面層２４の摩擦係数は、嵌装部材２０の外面における外面層２４以外の部分の摩擦係数よりも大きい。このように歯磨き部である外面層２４の摩擦係数を大きくすることにより、歯磨き効果を高めることができる。
【００５６】
外面層２４の表面粗さは、嵌装部材２０の外面における外面層２４以外の部分の表面粗さよりも大きい。このように歯磨き部である外面層２４の表面粗さを大きくすることによっても、歯磨き効果を高めることができる。
【００５７】
第２の歯磨き部（外面層３４）は、嵌装部材３０の外面の一部にのみ設けられている。これにより、第２の歯磨き部を触ることなく、嵌装部材３０を人差指に嵌装しやすくなる。つまり、嵌装部材３０を一方の手の人差指に被せる際、嵌装部材３０の外面における外面層３４以外の部分を他方の手で持つことにより、当該他方の手が第２の歯磨き部に触れてしまうのを回避することができる。このように第２の歯磨き部に手が触れないことは、衛生上の観点から好ましい。
【００５８】
外面層３４は、嵌装部材３０の後端部３０ｂよりも先端部３０ａ寄りに設けられている。このため、外面層３４が後端部３０ｂ寄りに設けられている場合に比して、嵌装部材３０を口内に浅く入れた状態で歯を磨くことができる。嵌装部材３０の後端部３０ｂ付近は、嵌装部材３０を人差指に嵌装する際に手が触れる部分である。それゆえ、衛生上の観点から、嵌装部材３０を口内に深く入れすぎないようにすることが好ましい。
【００５９】
外面層３４は、嵌装部材３０の先端部３０ａまで達するように設けられている。このため、嵌装部材３０の先端部３０ａ付近でも歯を磨くことができる。これにより、嵌装部材３０が口内に深く入りすぎるのを一層防ぎやすくなる。
【００６０】
外面層３４の摩擦係数は、嵌装部材３０の外面における外面層３４以外の部分の摩擦係数よりも大きい。このように歯磨き部である外面層３４の摩擦係数を大きくすることにより、歯磨き効果を高めることができる。
【００６１】
外面層３４の表面粗さは、嵌装部材３０の外面における外面層３４以外の部分の表面粗さよりも大きい。このように歯磨き部である外面層３４の表面粗さを大きくすることによっても、歯磨き効果を高めることができる。口腔ケア具２のその他の効果は、口腔ケア具１と同様である。
（第３実施形態）
【００６２】
図１１は、本発明による口腔ケア具の第３実施形態を示す正面図である。口腔ケア具３は、口腔のケアに用いられる口腔ケア具であって、袋体１０、嵌装部材２０、及び嵌装部材３０を備えている。袋体１０の構成は、第１実施形態で説明したとおりである。
【００６３】
図１２は、嵌装部材２０及び嵌装部材３０を示す斜視図である。本実施形態において嵌装部材２０及び嵌装部材３０は、一体に設けられている。嵌装部材２０及び嵌装部材３０は、後端部を共有している。すなわち、１つの環状部分が、嵌装部材２０の後端部２０ｂと嵌装部材３０の後端部３０ｂとを兼ねている。これにより、嵌装部材２０及び嵌装部材３０からなる一体の部材の内部空間は、嵌装部材２０と嵌装部材３０との境界部分において分岐している。
【００６４】
本実施形態においても、嵌装部材２０は内面層２２及び外面層２４からなるとともに、嵌装部材３０は内面層３２及び外面層３４からなる。内面層２２と内面層３２とは、連続して設けられている。外面層２４及び外面層３４は、それぞれ、嵌装部材２０及び嵌装部材３０の外面の全体に設けられてもよいし、一部にのみ設けられてもよい。前者の場合、外面層２４と外面層３４とは、連続して設けられる。口腔ケア具３のその他の構成は、口腔ケア具１と同様である。
【００６５】
口腔ケア具３の効果を説明する。嵌装部材２０及び嵌装部材３０は、一体に設けられている。この場合、嵌装部材２０を親指に被せる作業と嵌装部材３０を人差指に被せる作業とを同時に行うことができる。このため、嵌装部材２０及び嵌装部材３０を短時間で装着することができる。
【００６６】
特に嵌装部材２０及び嵌装部材３０は、後端部を共有している。これにより、嵌装部材２０及び嵌装部材３０によって親指及び人差指の付け根まで覆うことができる。このため、歯磨き部で歯を磨く際、当該付け根が口内に触れるのを防ぐことができ、衛生的である。また、嵌装部材２０と嵌装部材３０との境界部分においても歯を磨くことができるため、歯磨きを一層効率良く行うことができる。口腔ケア具３のその他の効果は、口腔ケア具１と同様である。
【００６７】
本発明は、上記実施形態に限定されるものではなく、様々な変形が可能である。上記実施形態においては、嵌装部材２０の後端部２０ｂが使用前から開放されている場合を例示した。しかし、嵌装部材２０は、図１３に示すように、使用前は後端部２０ｂが閉塞されており、使用時に後端部２０ｂが開放されるように構成されていてもよい。同図においては、左側が使用前の嵌装部材２０を示し、右側が使用時の嵌装部材２０を示している。かかる構成の嵌装部材２０は、例えば、使用前に後端部２０ｂにおいて嵌装部材２０の内面どうしを仮着しておくことにより実現することができる。ここで、仮着とは、嵌装部材を損傷することなく手で容易に剥がせる程度の力で、嵌装部材の内面どうしを貼着することをいう。
【００６８】
このように後端部２０ｂが閉塞されている場合、袋体１０内において後端部２０ｂから嵌装部材２０の内部に薬剤が入り込むのを阻止することができる。これにより、嵌装部材２０が嵌装された親指に薬剤が付着するのを防ぐことができる。
【００６９】
上記実施形態においては、嵌装部材３０の後端部３０ｂが使用前から開放されている場合を例示した。しかし、嵌装部材３０は、図１４に示すように、使用前は後端部３０ｂが閉塞されており、使用時に後端部３０ｂが開放されるように構成されていてもよい。同図においては、左側が使用前の嵌装部材３０を示し、右側が使用時の嵌装部材３０を示している。かかる構成の嵌装部材３０は、例えば、使用前に後端部３０ｂにおいて嵌装部材３０の内面どうしを仮着しておくことにより実現することができる。
【００７０】
このように後端部３０ｂが閉塞されている場合、袋体１０内において後端部３０ｂから嵌装部材３０の内部に薬剤が入り込むのを阻止することができる。これにより、嵌装部材３０が嵌装された人差指に薬剤が付着するのを防ぐことができる。
【００７１】
上記実施形態においては、嵌装部材２０の先端部２０ａが閉塞されている場合を例示した。しかし、嵌装部材２０は、図１５に示すように、先端部２０ａが開放された筒状をしていてもよい。この場合、図１６に示すように、嵌装部材２０が嵌装された親指９２においては、指先が先端部２０ａから突出してもよい。
【００７２】
上記実施形態においては、嵌装部材３０の先端部３０ａが閉塞されている場合を例示した。しかし、嵌装部材３０は、図１７に示すように、先端部３０ａが開放された筒状をしていてもよい。この場合、図１８に示すように、嵌装部材３０が嵌装された人差指９４においては、指先が先端部３０ａから突出してもよい。
【００７３】
上記実施形態においては、嵌装部材２０及び嵌装部材３０が後端部を共有しつつ一体に設けられた場合を例示した（図１２参照）。しかし、嵌装部材２０及び嵌装部材３０は、図１９に示すように、後端部を共有せずに一体に設けられてもよい。同図において嵌装部材２０及び嵌装部材３０は、連結部材４０を介して互いに連結されている。連結部材４０は、一端が嵌装部材２０の後端部２０ｂに接続されるとともに、他端が嵌装部材３０の後端部３０ｂに接続されている。連結部材４０は、例えば、紐状又は帯状をしている。連結部材４０は、柔軟性及び伸縮性を有することが好ましい。
【００７４】
上記実施形態においては、嵌装部材２０が複数の層（内面層２２及び外面層２４）からなる場合を例示した。しかし、嵌装部材２０は、単一の層からなっていてもよい。その場合、例えば、嵌装部材２０の外面の全体又は一部に表面処理（例えば粗面化処理）を施すことにより、歯磨き部を形成してもよい。嵌装部材２０の材料としては、例えば、不織布、コットン、レーヨン、ラテックス又は合成繊維を用いることができる。また、伸縮ネットを用いて嵌装部材２０を構成してもよい。嵌装部材３０についても、同様である。
【００７５】
上記実施形態においては、口腔用の薬剤と嵌装部材２０，３０とが別々に袋体１０に収容されている場合を例示した。すなわち、薬剤の少なくとも一部は、嵌装部材２０，３０から離れた状態で袋体１０内に存在する場合を例示した。しかし、袋体１０に収容された薬剤の全てが、嵌装部材２０，３０に含浸又は付着した状態で袋体１０内に存在していてもよい。
【００７６】
上記実施形態においては、口腔用の薬剤が液体状である場合を例示した。しかし、かかる薬剤は、ペースト状、ジェル状又は粉末状であってもよい。
【符号の説明】
【００７７】
１  口腔ケア具
２  口腔ケア具
３  口腔ケア具
１０  袋体
１２  開封予定部
１３  切り口
１４  ジッパー
２０  嵌装部材（第１の嵌装部材）
２０ａ  先端部
２０ｂ  後端部
２２  内面層
２４  外面層（第１の歯磨き部）
３０  嵌装部材（第２の嵌装部材）
３０ａ  先端部
３０ｂ  後端部
３２  内面層
３４  外面層（第２の歯磨き部）
４０  連結部材
９２  親指
９４  人差指
【図１】
2017104636.tif 000003
【図２】
2017104636.tif 000004
【図３】
2017104636.tif 000005
【図４】
2017104636.tif 000006
【図５】
2017104636.tif 000007
【図６】
2017104636.tif 000008
【図７】
2017104636.tif 000009
【図８】
2017104636.tif 000010
【図９】
2017104636.tif 000011
【図１０】
2017104636.tif 000012
【図１１】
2017104636.tif 000013
【図１２】
2017104636.tif 000014
【図１３】
2017104636.tif 000015
【図１４】
2017104636.tif 000016
【図１５】
2017104636.tif 000017
【図１６】
2017104636.tif 000018
【図１７】
2017104636.tif 000019
【図１８】
2017104636.tif 000020
【図１９】
2017104636.tif 000021